(57)【要約】【課題】がたつきを抑えつつ、低い位置の引出であっても腰を曲げずに容易に収納物を収納する（または取り出す）ことができる収納庫を提供することを目的とする。【解決手段】本発明にかかる収納庫１００の代表的な構成は、引出１６０と、引出の内部に設けられた収納手段２４０と、収納手段を支持する支持部材１７０と、支持部材を上下方向に移動可能に引出と連結する柱部材２００と、中途部を回動自在に軸支されたアーム１８０と、アームの一端に設けられ、支持部材と連結する連結部１８２と、アームの他端に設けられたプーリ１９０と、プーリを案内する案内レール２５０と、を備え、案内レールは、奥側から手前側にかけてプーリを低い位置に案内する傾斜部２５０ａを有し、引出を引き出すとプーリが傾斜部に案内されて下降し、アームが回動して支持部材が上方に移動することを特徴とする。【選択図】図１１
2011019837.tif 000002
【特許請求の範囲】
【請求項１】
引出と、
前記引出の内部に設けられた収納手段と、
前記収納手段を支持する支持部材と、
前記支持部材を上下方向に移動可能に前記引出と連結する柱部材と、
中途部を回動自在に軸支されたアームと、
前記アームの一端に設けられ、前記支持部材と連結する連結部と、
前記アームの他端に設けられたプーリと、
前記プーリを案内する案内レールと、
を備え、
前記案内レールは、奥側から手前側にかけて前記プーリを低い位置に案内する傾斜部を有し、前記引出を引き出すと前記プーリが前記傾斜部に案内されて下降し、前記アームが回動して前記支持部材が上方に移動することを特徴とする収納庫。
【請求項２】
前記柱部材は、前記支持部材を上方に付勢するバネを有することを特徴とする請求項１に記載の収納庫。
【請求項３】
前記案内レールは前記プーリの上側を案内する上面と下側を案内する下面とを有する溝形状であって、
前記引出を押し込むと、前記プーリが前記傾斜部の下面に案内されて上昇し、前記アームが回動して、前記支持部材が前記バネの付勢力に抗して下方に移動することを特徴とする請求項２に記載の収納庫。
【請求項４】
前記案内レールは、溝形状の上面または下面のいずれか一方の縁に、対向する縁に向かって屹立する脱輪防止用のリブを有することを特徴とする請求項３に記載の収納庫。
【請求項５】
前記連結部は、前記支持部材に設けられた摺動軸と嵌合する長穴であることを特徴とする請求項１から４のいずれか１項に記載の収納庫。
【発明の詳細な説明】
【技術分野】
【０００１】
本発明は引出を備える収納庫に関し、特にその引出の内部に１以上の収納手段を備える収納庫に関するものである。
【背景技術】
【０００２】
近年、使用者の使用態様の研究により、利便性を向上させた収納庫の開発に各種事業者が取り組んでいる。その１つの例として、低い位置にある収納庫に対して腰を曲げることなく容易に収納物を収納する（または取り出す）ことができる技術の開発が進められている。
【０００３】
具体的には、例えば特許文献１には、奥側に対して手前側を高く形成したガイド（案内レール）によって、収納庫の引出を引き出す際に上昇させる技術が開示されている。また、特許文献１には、所定の位置まで引き出された状態の引出をさらに引き出すことによって、一端が引出に固定され他端は収納庫に連結されるアームを他端を軸に回動させ、引出を上昇させる技術も開示されている。
【０００４】
さらに、特許文献２には、収納庫の引出内部に上方に開口を有する収納棚を設置し、収納棚をリンク片によって上昇させた状態でラッチによって係止する技術が開示されている。
【先行技術文献】
【特許文献】
【０００５】
【特許文献１】特許第４１５５１４３号公報
【特許文献２】特開２００７−３３０５６４号公報
【発明の概要】
【発明が解決しようとする課題】
【０００６】
しかしながら、概して、引出本体の重量は相当なものとなる。よって、特許文献１の技術は案内レールにより引出全体を収納物ごと上昇させる構成であるため、引出を引き出す際に要する力が多大なものとなり、引出の開け閉め自体が困難となるおそれがある。
【０００７】
また、特許文献２の技術においては、引出内部の収納棚のみを上昇させる構成であるが、把手部を持って収納棚を引き上げる必要があるため腰を曲げなければならない点が解決されない。その上、引出内部の収納棚には通常収納物を満載することになり、その荷重だけでも相当のものとなり得る。故に、腰をかがめて収納物を収納する（または取り出す）のと、収納棚を引き上げるのでは、どちらが楽かわからないという事態に陥ってしまう。
【０００８】
さらに、引出や収納棚を上昇させる構造においては、その上昇（下降）動作に伴うがたつきの低減が課題となる。詳述すると、過度ながたつきが生じる場合には、その内部に収納された収納物が互いにぶつかり合って損傷や騒音を招くおそれがある。特に、収納物が液体の場合には内容物がこぼれてしまったり、外装の損傷により液漏れしてしまったりするおそれがある。すなわち、がたつきは収納物に悪影響を与えることとなる。
【０００９】
本発明は、このような課題に鑑みてなされたものであり、がたつきを抑えつつ、低い位置の引出であっても腰を曲げずに容易に収納物を収納する（または取り出す）ことができる収納庫を提供することを目的とする。
【課題を解決するための手段】
【００１０】
上記課題を解決するために本発明者らが鋭意検討したところ、引出に収納される収納物のうち頻繁に利用されるものはごく一部であることに着眼した。そして、その一部の収納物のみを収納する収納手段を設け、これを引出の開閉に連動させて昇降させれば、利便性を担保しつつ使用者にかかる負担（引出を引き出す際に要する力）を低減できるのではないかと思量した。そこで、かかる収納手段の昇降についてさらに検討を重ねた結果、収納手段のがたつきを低減可能な構造を見出し、本発明を完成するに至った。
【００１１】
すなわち、本発明にかかる収納庫の代表的な構成は、引出と、引出の内部に設けられた収納手段と、収納手段を支持する支持部材と、支持部材を上下方向に移動可能に引出と連結する柱部材と、中途部を回動自在に軸支されたアームと、アームの一端に設けられ、支持部材と連結する連結部と、アームの他端に設けられたプーリと、プーリを案内する案内レールと、を備え、案内レールは、奥側から手前側にかけてプーリを低い位置に案内する傾斜部を有し、引出を引き出すとプーリが傾斜部に案内されて下降し、アームが回動して支持部材が上方に移動することを特徴とする。
【００１２】
かかる構成によれば、引出全体ではなく引出内部に設けられた収納手段を引出の開閉に連動させて上下方向に移動させるため、使用者は過度な力を要せずに引出を開閉することができる。さらに、収納手段を移動させるアームを中途部で軸支することにより、支点間の距離が短くなるため各部材の剛性が高くなり、またリンク機構のアライメントが高くなることから、収納手段の移動の際のがたつきの低減が図られる。加えて、アームにかかる負担も抑えられるので耐久性の向上効果も奏し得る。
【００１３】
上記柱部材は、支持部材を上方に付勢するバネを有するとよい。これにより、バネの付勢力が収納手段を上昇させるように働くため、収納物の荷重をバネによって支持することができ、引出を開閉する際に要する力のさらなる低減が図られる。
【００１４】
上記案内レールはプーリの上側を案内する上面と下側を案内する下面とを有する溝形状であって、引出を押し込むと、プーリが傾斜部の下面に案内されて上昇し、アームが回動して、支持部材がバネの付勢力に抗して下方に移動するとよい。これにより、収納手段を好適に昇降させることができる。
【００１５】
上記案内レールは、溝形状の上面または下面のいずれか一方の縁に、対向する縁に向かって屹立する脱輪防止用のリブを有するとよい。これにより、プーリのレールからの脱輪を確実に防止することができる。また、上面か下面のいずれか一方の縁にリブを設けることによって、プーリが万が一両方のリブに噛んでしまって動かなくなるおそれを排除できる。
【００１６】
上記連結部は、支持部材に設けられた摺動軸と嵌合する長穴であるとよい。これにより、昇降する際に遊びが必要となる支持部材と連結部（アーム）の連結を好適に行うことができる。
【発明の効果】
【００１７】
本発明によれば、がたつきを抑えつつ、低い位置の引出であっても腰を曲げずに容易に収納物を収納する（または取り出す）ことができる収納庫を提供することができる。
【図面の簡単な説明】
【００１８】
【図１】本実施形態にかかる収納庫を備えるキッチンを例示する図である。
【図２】本実施形態にかかる収納庫について説明する分解斜視図である。
【図３】本実施形態にかかる収納庫の側面図である。
【図４】支持部材とアームの連結について説明する図である。
【図５】柱部材について説明する図である。
【図６】柱部材について説明する分解斜視図である。
【図７】ブラケット、連結フレーム、およびギャラリーパイプについて説明する図である。
【図８】ブラケット、連結フレーム、およびギャラリーパイプの他の例について説明する図である。
【図９】収納手段について説明する図である。
【図１０】案内レールについて説明する図である。
【図１１】引出を引き出す際の態様について説明する図である。
【図１２】アームの形状と軸支位置の他の構成について説明する図である。
【発明を実施するための形態】
【００１９】
以下に添付図面を参照しながら、本発明の好適な実施形態について詳細に説明する。かかる実施形態に示す寸法、材料、その他具体的な数値などは、発明の理解を容易とするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００２０】
（キッチン１１０）
図１は、本実施形態にかかる収納庫１００を備えるキッチン１１０を例示する図である。キッチン１１０は、上面全体を単一の天板１２０（ワークトップ）が覆うシステムキッチンであって、その下部の領域はコンロキャビネット１３０、ベースキャビネット１４０、シンクキャビネット１５０に大別される。
【００２１】
コンロキャビネット１３０は、コンロ１３２、グリル１３４、操作パネル１３６、スパイスボックス１３８、収納庫１００、足下収納庫１０４から構成される。コンロ１３２やグリル１３４は調理に利用され、それらの操作が操作パネル１３６によって行われる。スパイスボックス１３８は、調味料などの小物を収納するのに用いられる。
【００２２】
ベースキャビネット１４０は、調理スペース１２０ａ、収納庫１００、膝上収納庫１０２（上段収納庫）、足下収納庫１０４から構成される。調理スペース１２０ａは、天板１２０の一部であって調理を行う際の作業場として利用される。また、シンクキャビネット１５０は、水栓１５２、シンク１５４、収納庫１００、足下収納庫１０４から構成される。水栓１５２はシンク１５４に対して湯水を給水し、シンク１５４は給水された湯水を不図示の排水管へと排水する。
【００２３】
収納庫１００、膝上収納庫１０２、足下収納庫１０４は、いわゆる収納スペースであって、本実施形態の特徴を備え得る。以下、収納庫１００を例に挙げてこれらについて説明する。すなわち、収納庫１００の技術的思想に対応する構成要素やその説明は膝上収納庫１０２、足下収納庫１０４にも適用可能である。
【００２４】
（収納庫１００）
図２は、本実施形態にかかる収納庫１００について説明する分解斜視図である。また、図３は、本実施形態にかかる収納庫１００の側面図である。図２に示すように、収納庫１００は、引出１６０、仕切板１６２、一対の壁板１６４、支持部材１７０、アーム１８０、連結部１８２、プーリ１９０、柱部材２００、ブラケット２２０、連結フレーム２２２、ギャラリーパイプ２３０、収納手段２４０、案内レール２５０（壁板設置部材２５２）、第２案内レール２５４を包含する。以下、これらについて順に詳述する。
【００２５】
引出１６０は、前板１６０ａ、一対の側板１６０ｂ、背板１６０ｃ、底板１６０ｄから構成され、壁板１６４に設置された第２案内レール２５４上を摺動する。仕切板１６２は、引出１６０（仕切板１６２より背面側）に収納された収納物と収納手段２４０の干渉（接触）を防ぐ役割を担う。
【００２６】
図４は支持部材１７０とアーム１８０の連結について説明する図である。図４に示すように、支持部材１７０は、支持基体１７２（摺動軸１７２ａ）、梁１７４、スライダ１７６、ローラ１７８から構成される。
【００２７】
支持基体１７２は、梁１７４およびスライダ１７６と係合し、その側方外側にはローラ１７８が配置される。また、図４に示すように、引出１６０の側方外側に向けて設けられる摺動軸１７２ａによって連結部１８２と連結する。連結部１８２は、アーム１８０の一端に設けられた長穴であって、この大きさ（長さ）を拡縮することにより、収納手段２４０の昇降に際して必要となる遊びの調節を好適に行うことができる。
【００２８】
なお、図４では摺動軸１７２ａを固定具１７２ｂ（ネジ）が挿通するスリーブによって構成するよう図示しているが、支持基体１７２に雌ねじを有する円筒状の部位を立設してもよく、また固定部１７２ｂのネジの頭部近傍にネジを切っていない軸部を備えさせてもよい。すなわち摺動軸１７２ａは、固定部１７２ｂによって長穴１８２を締め付けてしまうことを防止する高さ（長さ）を有し、かつ長穴１８２の内径とがたつきなく摺動し得る径を有する円柱形（円筒形）であればよい。
【００２９】
梁１７４は、収納手段２４０の掛着に用いられる。スライダ１７６、ローラ１７８については、後程柱部材２００と併せて説明する。
【００３０】
図２、図３に戻り、アーム１８０は、ブラケット２２０によって中途部を回動自在に軸支され、その一端には上述した連結部１８２、他端にはプーリ１９０が設けられる。プーリ１９０は、第２案内レール２５４よりも壁板１６４の上側に設置された案内レール２５０上を回転して移動する。
【００３１】
図５は柱部材２００について説明する図、図６は柱部材２００について説明する分解斜視図である。特に、図５（ａ）は柱部材２００の外観について説明する図、図５（ｂ）は柱部材２００の内部構造について説明する図である。図５、図６に示すように、柱部材２００は、柱基体２０２、スライドレール２０４、バネ２０６、バネ調節機構２０８、ネジ蓋２１２、柱部材２００の蓋２１４から構成される。
【００３２】
柱基体２０２は、前方外側に立設した凸形状の凸部２０２ａを有し、前板１６０ａに形成された不図示の凹部とインロー（雄雌）結合する。そして、好適には強度を高めるためにその結合部分を接着剤等で接着する。これにより、引出１６０が引き出されると連動して、柱部材２００が前方へと移動する。
【００３３】
また、柱基体２０２の内部には、上下方向に立設された一対のリブによってガイドレール２０２ｂが形成される。かかるガイドレール２０２ｂは、支持部材１７０のローラ１７８を上下方向に案内する役割を担う。すなわち、ローラ１７８は、ガイドレール２０２ｂ内に配置され回転して上下方向へ移動する。
【００３４】
スライドレール２０４は柱基体２０２に固定され、その側面に形成された溝がスライダ１７６の側縁に噛合する。かかる噛合によりスライドレール２０４は、スライダ１７６の水平方向への移動を規制し、ローラ１７８がガイドレール２０２ｂから外れてしまうことを防止する。
【００３５】
バネ２０６は、一端がスライダ１７６に、他端は後述するバネ調節機構２０８のブロック片２０８ａに係留される。これにより、バネ２０６の付勢力が、スライダ１７６（すなわち支持部材１７０）を上昇させるように働くため、収納手段２４０に収納された収納物の荷重をバネ２０６によって支持することができる。
【００３６】
バネ調節機構２０８は、ブロック片２０８ａ、調節ネジ２０８ｂからなり、バネ２０６のテンションを調節する。具体的には、調節ネジ２０８ｂを時計方向に回すことでブロック片２０８ａが上方に移動してバネ２０６のテンションが増大する。また、調節ネジ２０８ｂを反時計方向に回すことでブロック片２０８ａが下方に移動してバネ２０６のテンションが減少する。
【００３７】
かかる調節ネジ２０８ｂの頭部は、柱基体２０２から露出して配置される。そのため、面倒な分解等を要することなくバネ２０６のテンションを調節することができる。また、調節ネジ２０８ｂの露出部分は、着脱可能なネジ蓋２１２で被覆される。これにより、美観の向上が図られる。
【００３８】
蓋２１４は、柱基体２０２と嵌合して上述した構造に収納物が接触することを防止する。かかる蓋２１４には観察窓２１４ａが形成され、ブロック片２０８ａの位置すなわち現在のテンションの設定（調節）がどのようになっているかを視認により容易に把握することができるようになっている。特に、本実施形態では観察窓２１４ａからブロック片２０８ａの突出部２１０が突出するようになっているため、一目でブロック片２０８ａの位置がどこにあるかを判断することができる。
【００３９】
図７はブラケット２２０、連結フレーム２２２、およびギャラリーパイプ２３０について説明する図である。上述したように、ブラケット２２０はアーム１８０の中途部を軸支する。これにより、連結部１８２、ブラケット２２０、プーリ１９０の３点でアーム１８０を支持することとなり、支点間の距離が短くなるため各部材の剛性を高めることができ、各部材のたわみが少なくなる。また、たわみが少ないことから、アーム１８０（連結部１８２）、プーリ１９０、ブラケット２２０からなるリンク機構のアライメント（組立精度）も高くすることができ、相乗効果によって収納手段２４０の移動の際のがたつきを低減することができる。その上、アーム１８０にかかる負担（変形）が抑えられるので、耐久性を向上させることができる。
【００４０】
なお、ここではブラケット２２０は、アーム１８０の中間点を収納手段２４０が上下方向に移動し得る範囲の中間の高さで軸支する。これにより、収納手段２４０を上下方向へ好適に移動させることができる。ブラケット２２０によるアーム１８０の軸支位置の詳細については後程説明する。
【００４１】
連結フレーム２２２は、ブラケット２２０を引出１６０の側板１６０ｂと連結する。かかる構成により、ブラケット２２０を側板１６０ｂまで延設するよりもその剛性を高めることができる。
【００４２】
ギャラリーパイプ２３０は、側板１６０ｂの上方に配置され、引出１６０に収納された収納物の側方への落下を防止する。詳述すると、ギャラリーパイプ２３０は、連結フレーム２２２を介して、一端が柱部材２００に、他端が背板１６０ｃに固定される。
【００４３】
図８はブラケット２２０、連結フレーム２２２、およびギャラリーパイプ２３０の他の例について説明する図である。すなわち、図８に示す他の例の図７との違いは、連結フレーム２２４、ギャラリーパイプ２３２である。
【００４４】
連結フレーム２２４は、内部構造を見せないように箱状に形成されたものであって、例えば上述の連結フレーム２２２の表面に樹脂などによるカバーを備えた構成とすることができる。ギャラリーパイプ２３２は、一端が連結フレーム２２４に、他端が背板１６０ｃに固定される。これにより、美観の向上を図り得る。
【００４５】
図９は収納手段２４０について説明する図である。特に、図９（ａ）は収納手段２４０の例としての収納ケース２４０ａを示す図、図９（ｂ）は収納手段２４０の例としての包丁差し２４０ｂを示す図、図９（ｃ）は収納ケース２４０ａと包丁差し２４０ｂを梁１７４に掛着する方法を説明する図である。
【００４６】
図９（ａ）に示すように、収納ケース２４０ａは、仕切２４２と複数の仕切溝２４４を有し、仕切２４２の位置を使用者が適宜変更可能となっている。また、図９（ｂ）に示すように、包丁差し２４０ｂは、ロック機構２４６を有し、包丁を差し込んでロック機構２４６のレバー２４６ａを切り替えることによって、包丁のロックまたはロックを解除できるようになっている。
【００４７】
そして、図９（ｃ）に示すように、収納ケース２４０ａおよび包丁差し２４０ｂは、上縁の一辺に形成された鉤状の引掛け部２４８で梁１７４に着脱可能に掛着され、引出１６０内部に配置される。なお、かかる引掛け部２４８を形成した収納手段２４０であれば、上述した例（収納ケース２４０ａ、包丁差し２４０ｂ）に限らず梁１７４に掛着することができる。
【００４８】
図１０は案内レール２５０について説明する図である。特に、図１０（ａ）は壁板設置部材２５２に形成された案内レール２５０を示す図、図１０（ｂ）は図１０（ａ）のＡ−Ａ断面図である。
【００４９】
図１０（ａ）に示すように、案内レール２５０は、プーリ１９０を案内するレールであって、プラスチックや金属等からなる壁板設置部材２５２に形成される。そして、壁板設置部材２５２は、第２案内レール２５４（引出１６０自体のレール）よりも上側の壁板１６４に設置される。
【００５０】
案内レール２５０は、プーリ１９０の上側を案内する上面と下側を案内する下面とを有する溝形状を有する。なお、本実施形態では案内レール２５０を溝形状としているが、上記の上面と下面があればよく、例えば並行して立設された上下のリブによって案内レール２５０を構成してもよい。
【００５１】
案内レール２５０は、奥側から手前側にかけてプーリ１９０を低い位置に案内する傾斜部２５０ａを有する。かかる傾斜部２５０ａは、引出１６０が引き出されるにしたがってプーリ１９０を低い位置に案内し、逆に引出１６０が押し込まれるにしたがってプーリ１９０を高い位置に案内する。これにより、引出１６０の開け閉めに伴い、収納手段２４０を昇降させることができる。
【００５２】
また、案内レール２５０の傾斜部２５０ａの両端には、ほぼ水平にプーリ１９０を案内する水平部２５０ｂが設けられる。詳述すると、バネ２０６による付勢力と、収納手段２４０と支持部材１７０および収納物の重量は相殺する方向に作用し、アーム１８０にはその合力に従って回転モーメントが生じる。この回転モーメントがアーム１８０の奥側端部にあるプーリ１９０を傾斜部２５０ａに付勢するため、回転モーメントが傾斜部２５０ａに対する法線方向と接線方向に分解されて、さらに接線方向の力が垂直方向と水平方向に分解される。したがって、傾斜部２５０ａにプーリ１９０が位置する場合に引出１６０から手を離すと、プーリ１９０には、水平方向の分力によって手前側または奥側に移動する力が発生するため、極端な場合は引出１６０全体がゆるやかに移動する。しかし、水平部２５０ｂにプーリ１９０が位置する場合には、水平方向の分力が発生しないため、プーリ１９０が移動することはない。すなわち、水平部２５０ｂにプーリ１９０が位置する場合には、引出１６０が自然に開閉することはない。
【００５３】
さらに、図１０（ｂ）に示すように、案内レール２５０は、下面の縁に上方（上面の縁）に向かって屹立する脱輪防止用のリブ２５０ｃを有する。これにより、プーリ１９０の脱輪を確実に防止することができる。
【００５４】
なお、本実施形態においては下面にのみリブ２５０ｃを設けている。上述したように、バネ２０６による付勢力と、収納手段２４０と支持部材１７０および収納物の重量は相殺する方向に作用し、バネ２０６の付勢力が勝てばプーリ１９０は傾斜部２５０ａの下面に付勢され、収納物等の重量が勝てばプーリ１９０は上面に付勢される。したがって、プーリ１９０が上面に付勢される場合も想定されるため、上面と下面の両方の縁にリブ２５０ｃを設けてもよい。しかし、収納手段２４０に収納物がない場合にはプーリ１９０は下面に付勢される。また、収納手段２４０には載荷重量を記載するため、収納物の重さが極端に過剰とならないことを期待することができる。さらに、上面および下面の両方にリブ２５０ｃを設けると、プーリ１９０が万が一にも両方のリブ２５０ｃに噛んでしまって動きにくくなるおそれがある。そこで上記実施形態に示すように、下面にのみリブ２５０ｃを設ける方が好ましい。
【００５５】
なお、傾斜部２５０ａと水平部２５０ｂの交点には、プーリ１９０の半径よりも曲率半径の大きいアールが付けられる。これにより、傾斜部２５０ａから水平部２５０ｂへ移行する地点において、好適にプーリ１９０を案内（移動）することができる。
【００５６】
図２、図３に戻り、第２案内レール２５４は、引出１６０を案内するレールであって、案内レール２５０よりも壁板１６４の下側に配置される。かかる第２案内レール２５４については、引出１６０が摺動可能であればいかなるものを用いてもよい。
【００５７】
以上、収納庫１００の各構成要素について詳述した。次に、かかる収納庫１００の引出１６０を引き出す際の態様、および引出１６０を押し込む際の態様について詳述する。
【００５８】
（引出１６０開閉時の態様）
図１１は引出１６０を引き出す際の態様について説明する図である。特に、図１１（ａ）は引出１６０が閉められた状態を示す図、図１１（ｂ）は中ほどまで引出１６０が引き出された状態を示す図、図１１（ｃ）は概ね引出１６０が引き出された状態を示す図である。
【００５９】
図１１（ａ）に示すように引出１６０が閉められた状態においては、プーリ１９０は案内レール２５０上の高い位置の水平部２５０ｂにあり、収納手段２４０は低い位置に支持される。このとき、柱部材２００のバネ２０６は、最も伸びた（テンションがかかった）状態にあり、その付勢力は収納手段２４０を上昇させるように働いている。換言すれば、アーム１８０とプーリ１９０によって、支持部材１７０（収納手段２４０）をバネ２０６の付勢力に抗して押し下げている。
【００６０】
この状態から引出１６０を引き出し、図１１（ｂ）に示すようにプーリ１９０が傾斜部２５０ａに達すると、プーリ１９０の下降に伴い、ブラケット２２０を軸にアーム１８０が回動して収納手段２４０が上昇する。このとき、収納物等の重量は引出１６０が戻る方向の分力を生じるが、バネ２０６の付勢力は引出１６０が出る方向の分力を生じる。このため、使用者は過度な力を要せずに引出１６０を引き出すことができる。設計条件としてバネ２０６の付勢力が勝るようにその強さを設定するため、原則としては、バネ２０６によって引出１６０を引き出す際に要する力の低減が図られる。
【００６１】
そして、さらに引出１６０を引き出しプーリ１９０が傾斜部２５０ａから脱すると、図１１（ｃ）に示す状態となる。すなわち、概ね、引出１６０が引き出された状態においては、プーリ１９０は案内レール２５０の低い位置の水平部２５０ｂにあり、収納手段２４０は高い位置に支持される。
【００６２】
一方、引出１６０を押し込む際には上記と逆の態様となる。すなわち、図１１（ｃ）に示す状態から引出１６０を押し込むと、プーリ１９０が傾斜部２５０ａに案内されて上昇し、アーム１８０が回動して、支持部材１７０（収納手段２４０）がバネ２０６の付勢力に抗して下方に移動する。そして、図１１（ｂ）に示す状態になり、さらに引出１６０を押し込むと図１１（ａ）の状態へと戻る。
【００６３】
以上、本実施形態にかかる収納庫１００の態様について説明した。上述したように、収納庫１００は、引出１６０全体ではなく内部に設けられた収納手段２４０を引出１６０の開閉に連動させて上下方向に移動させるため、使用者は過度な力を要せずに引出１６０を開閉することができる。さらに、ブラケット２２０によるアーム１８０の軸支により各部材の剛性が高くなり、またリンク機構のアライメントが高くなることから、収納手段２４０の移動の際のがたつきを低減することができる。よって、収納手段２４０を好適に昇降させることができる。
【００６４】
すなわち、本実施形態にかかる収納庫１００によれば、がたつきを抑えつつ収納手段２４０を昇降させることにより、低い位置の引出１６０であっても腰を曲げずに容易に収納物を収納する（または取り出す）ことができる。
【００６５】
（軸支位置）
図１２はアーム１８０の形状と軸支位置の他の構成について説明する図である。ここでは、上述した収納庫１００とは、アーム３８０、案内レール４５０の点で異なる収納庫３００を用いて最適な軸支位置について詳述する。
【００６６】
上記説明においてアーム１８０は直線状であるように図示して説明したが、本実施形態はこれに限らず、適宜最適な寸法関係をとることができる。
【００６７】
まず、支持部材１７０とアーム３８０を連結する連結部１８２は長穴であると説明したが、アーム３８０は回転モーメントによって支持部材１７０を上下させるため、支持部材１７０の移動方向が回転モーメントの方向になるべく近いことが好ましい。そこで、ブラケット２２０による上下方向のアーム３８０の軸支位置（高さ）は、収納手段２４０が移動し得る範囲の中間の高さ（すなわち、上昇位置および下降位置からＬ１の高さ）に設定することが好ましい。また、これにより、連結部１８２である長穴の大きさ（長さ）を最も小さくすることもできる。
【００６８】
また、案内レール４５０によるプーリ１９０の動作を円滑にするためには、案内レール４５０の上下幅を大きくとることが好ましい。ここで、案内レール４５０の最大の上下幅は概ね引出１６０の高さとなるが、前端の連結部１８２が移動範囲の中点にあるとき（上昇位置および下降位置からＬ１の高さ）、プーリ１９０も案内レール４５０のＬ２の高さ方向の中点（上端および下端からＬ２の高さ）にある必要がある（図１２の状態）。したがって図１２に示すように、アーム３８０は必要に応じて屈曲した形状とすることができる。
【００６９】
また、ブラケット２２０による前後方向のアーム３８０の軸支位置は、収納手段２４０の（連結部１８２の）移動範囲と、他端のプーリ１９０の移動範囲の比を定める要因となる。すなわち、アーム３８０の中間点を軸支すれば、収納手段２４０の上下方向の移動範囲（すなわちＬ１×２）は、案内レール４５０の上下幅（Ｌ２×２）と等しくなる。そして、プーリ１９０に近い位置でアーム３８０を軸支するほど収納手段２４０の上下方向の移動範囲は大きくなり（Ｌ１×２＞Ｌ２×２）、連結部１８２（収納手段２４０）に近い位置でアーム３８０を軸支するほど収納手段２４０の上下方向の移動範囲は小さくなる（Ｌ１×２＜Ｌ２×２）。
【００７０】
また、収納手段２４０を昇降させる回転モーメントの点では、プーリ１９０に近い位置でアーム３８０を軸支する程その力が弱くなり、連結部１８２（収納手段２４０）に近い位置でアーム３８０を軸支する程その力が強くなる。
【００７１】
ここで、図１２では、収納手段２４０を昇降させたい範囲（所望の上下方向の移動範囲）よりも、案内レール４５０の上下幅が相対的に大きい場合を想定している。かかる場合には、連結部１８２（収納手段２４０）に近い位置でアーム３８０を軸支して、回転モーメントによる力を強くすることができる。
【００７２】
以上、添付図面を参照しながら本発明の好適な実施形態について説明したが、本発明は係る例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００７３】
本発明は、引出の内部に１以上の収納手段を備える収納庫に利用することができる。
【符号の説明】
【００７４】
１００、３００…収納庫、１０２…膝上収納庫、１０４…足下収納庫、１１０…キッチン、１２０…天板、１２０ａ…調理スペース、１３０…コンロキャビネット、１３２…コンロ、１３４…グリル、１３６…操作パネル、１３８…スパイスボックス、１４０…ベースキャビネット、１５０…シンクキャビネット、１５２…水栓、１５４…シンク、１６０…引出、１６０ａ…前板、１６０ｂ…側板、１６０ｃ…背板、１６０ｄ…底板、１６２…仕切板、１６４…壁板、１７０…支持部材、１７２…支持基体、１７２ａ…摺動軸、１７４…梁、１７６…スライダ、１７８…ローラ、１８０、３８０…アーム、１８２…連結部、１９０…プーリ、２００…柱部材、２０２…柱基体、２０２ａ…凸部、２０２ｂ…ガイドレール、２０４…スライドレール、２０６…バネ、２０８…バネ調節機構、２０８ａ…ブロック片、２０８ｂ…調節ネジ、２１０…突出部、２１２…ネジ蓋、２１４…蓋、２１４ａ…観察窓、２２０…ブラケット、２２２、２２４…連結フレーム、２３０、２３２…ギャラリーパイプ、２４０…収納手段、２４０ａ…収納ケース、２４０ｂ…包丁差し、２４２…仕切、２４４…仕切溝、２４６…ロック機構、２４６ａ…レバー、２４８…引掛け部、２５０、４５０…案内レール、２５０ａ…傾斜部、２５０ｂ…水平部、２５０ｃ…リブ、２５２…壁板設置部材、２５４…第２案内レール、
【図１】
2011019837.tif 000003
【図２】
2011019837.tif 000004
【図３】
2011019837.tif 000005
【図４】
2011019837.tif 000006
【図５】
2011019837.tif 000007
【図６】
2011019837.tif 000008
【図７】
2011019837.tif 000009
【図８】
2011019837.tif 000010
【図９】
2011019837.tif 000011
【図１０】
2011019837.tif 000012
【図１１】
2011019837.tif 000013
【図１２】
2011019837.tif 000014